(57)【特許請求の範囲】
【請求項１】
枠組足場の階段開口部の階段開口手摺の桁材に平行に対峙する第一辺と、この第一辺とは直角をなす第二辺を有し、非昇降口側端部に形成される隙間を塞ぐことができる略三角形状の隙間塞ぎ材であって、隙間塞ぎ材を上記桁材に取り付けるための取付金具を第一辺又はその延長部に有しており、当該取付金具を水平軸として当該隙間塞ぎ材を垂直方向に回転可能であり、かつ、上記第二辺は枠組足場を形成する建枠の横桟又は腕木材の上に載置することができることを特徴とする隙間塞ぎ材。
【請求項２】
階段開口手摺の桁材に平行に対峙する第一辺には、さらに隙間塞ぎ材を階段開口手摺の桁材に対して固定することができる固定補助金具を設けたことを特徴とする、請求項１に記載の隙間塞ぎ材。
【請求項３】
略三角形状の隙間塞ぎ材の斜辺および／又は第一辺に幅木を設けたことを特徴とする、請求項１または２に記載の隙間塞ぎ材。
【請求項４】
隙間塞ぎ材の立体形状が水平面に対して上下対称であることを特徴とする、請求項１から３までのいずれかに記載の隙間塞ぎ材。
【請求項５】
隙間塞ぎ材の材部に１個又は２個以上の番線用孔を設けたことを特徴とする、請求項１から４までのいずれかに記載の隙間塞ぎ材。
【請求項６】
隙間塞ぎ材の材部に１個又は２個以上の取手用孔を設けたことを特徴とする、請求項１から５までのいずれかに記載の隙間塞ぎ材。
【請求項７】
請求項１から６までのいずれかに記載の隙間塞ぎ材が組み込まれていることを特徴とする枠組足場。
【発明の詳細な説明】
【技術分野】
【０００１】
本発明は、建築現場等で使用される枠組足場の階段開口部の非昇降口側端部に形成される隙間を塞ぐことができる隙間塞ぎ材及びこの隙間塞ぎ材を組み込んでなる枠組足場に関する。
【背景技術】
【０００２】
建築現場等で用いられる枠組足場には、例えば、建枠に筋違（すじかい）や手摺枠を取り付けてなる「建枠式足場」と、支柱部材やブレース材（斜材ともいう。）や手摺部材等の足場構成部材を緊結して組み立ててなる「緊結式足場」がある。
【０００３】
「建枠式足場」は、通常、横桟と縦柱から構成されるＨ形状や鳥居形状の建枠を複数個組み立てることによって形成される。すなわち、建枠の複数個を、所定の間隔で建物等の構造物とは直角に立設し、隣接する建枠の縦柱の間に筋違や手摺枠を取り付け固定して複数個の建枠を自立させた後、さらに隣接する建枠の横桟の間に床付き布枠（布板ともいう。）を１枚又は２枚以上架け渡すことで、１単位の足場を形成する。次に、既に立設した建枠の上に、別途用意された建枠を立設し、同様にして筋違や手摺枠を隣接する建枠の間に取り付け固定した後、新たに立設した建枠の横桟の上に床付き布枠を１枚又は２枚以上架け渡すことによって一つ上の段の足場を形成する。これを順次繰り返すことによって、全体の枠組み足場を形成する。
【０００４】
この建枠として、Ｈ形状の建枠（以下、「Ｈ枠」という。）を用いて建枠式の枠組足場を形成する一例を、図１に示す。(a)が正面図、(b)が右側面図である。
【０００５】
３個のＨ枠１を建物２２とは直角に等間隔に並べ、隣接するＨ枠の間に、建物とは反対側に手摺枠１０をロック金具６ｂに取り付けて、１段目のＨ枠１を自立させる。さらに、建物とは反対側に手摺枠１０をロック金具７ｂに取り付け、そして建物側の手摺枠１３をロック金具７ａに取り付けて固定する。その後、１段目の隣接するＨ枠１の横桟３の間に床付き布枠１１を架け渡して、１段目の足場を形成する。次に、既に立設した１段目のＨ枠１の縦柱２の上に、別途用意したＨ枠１の縦柱２の下部を載置し、固定ピン（図示せず）で固定することによって、２段目のＨ枠１を立設する。その後、１段目と同様にして、建物とは反対側に手摺枠１０をロック金具６ｂと７ｂに取り付け、そして、建物側に手摺枠１３をロック金具７ａに取り付けて固定し、その後、２段目のＨ枠１の横桟３に床付き布枠１１を架け渡して、２段目の足場を形成する。３段目の足場も、２段目の足場と同じ手順で組み立てる。すなわち、建物とは反対側に手摺枠１０を取り付け、そして、建物側に手摺枠１３を取り付けて固定し、その後、３段目のＨ枠１の横桟３に床付き布枠１１を架け渡して、３段目の足場を形成する。このようにして、必要な段数になるまで枠組足場を形成する。
【０００６】
また、建枠を用いる他の例として、鳥居形状の建枠（以下、「鳥居枠」という。）を用いて建枠式の枠組足場を形成する１例を、図２に示す。(a)が正面図、(b)が右側面図である。
【０００７】
まず３個の鳥居枠４を建物２２とは直角に等間隔に並べ、隣接する鳥居枠４との間に、建物とは反対側に筋違１３をロック金具８ｂに取り付け、そして建物側にも筋違１３をロック金具８ａに取り付けて、１段目の鳥居枠４を自立させることによって、１段目の足場を形成する。その後、１段目の隣接する鳥居枠４の上部の横桟３の間に２段目の足場板となる床付き布枠１１を架け渡した後、既に立設した１段目の鳥居枠４の縦柱２の上に、別途用意した鳥居枠４の縦柱２の下部を載置し、固定ピン（図示せず）で固定することによって、２段目の鳥居枠４を立設する。その後、１段目と同様にして、建物とは反対側に筋違１３をロック金具８ｂに取り付け、そして、建物側にも筋違１３をロック金具８ａに取り付けて、２段目の鳥居枠４を自立させることによって、２段目の足場を形成する。その後、２段目の隣接する鳥居枠４の上部の横桟３の間に３段目の足場板となる床付き布枠１１を架け渡した後、既に立設した２段目の鳥居枠４の縦柱２の上に、別途用意した鳥居枠４の縦柱２の下部を載置し、固定ピン（図示せず）で固定することによって、３段目の鳥居枠４を立設する。その後、２段目と同様にして、建物とは反対側に筋違１３をロック金具８ｂに取り付け、そして、建物側にも筋違１３をロック金具８ａに取り付けて、３段目の鳥居枠４を自立させることによって、３段目の足場を形成する。このようにして、必要な段数になるまで枠組足場を形成する。
【０００８】
一方、「緊結式足場」は、「コマ」と呼ばれる取付部材が複数個設けられた支柱部材に、手摺部材、ブレース材、腕木部材等の足場構成部材をコマを介して取り付け、そして、コマにおいて楔等によってこれらの足場構成部材を緊結した後、床付き布枠を１枚又は２枚以上架け渡すことによって、組み立てられる。
【０００９】
図３に、緊結式足場の構造の一例を示す。(a)は緊結式足場の正面図、(b)は(a)において円で示されたコマの周辺の拡大図、そして、(c)は緊結式足場の右側面図である。
【００１０】
緊結式足場は、支柱１４が建物側とその反対側に各３本が立設されている。各々の支柱１４は、複数のコマ２０を有する支柱部材１６を縦に継ぎ足すことによって形成されている。建物側の隣接する支柱１４の間には、コマ２０を介してブレース材１９が取り付けられ、また、建物とは反対側の隣接する支柱１４の間には、コマ２０を介して作業用手摺１５が取り付けられ、コマ２０において楔等で緊結される。さらに、建物側の支柱１４と建物とは反対側の支柱１４の間には、コマ２０を介して腕木材２１が取り付けられ、コマ２０において楔等で緊結され、そして、隣接する腕木材２１の間に、床付き布枠１１を架け渡すことで、１段目の足場が形成される。なお、ブレース材１９は建物とは反対側の支柱１４の間に取り付ける場合もある。
【００１１】
２段目の足場は、１段目の足場と同様にして形成される。必要に応じて、１段目の足場の支柱１４の上端に別途用意した支柱１４を縦方向に継ぎ足した上で、ブレース材１９、手摺部材１５、腕木部材２１をコマ２０を介して取り付け緊結した後、床付き布枠１１を架け渡すことによって、形成される。これを順次繰り返すことによって、複数段の緊結式足場が形成される。
【００１２】
このようにして枠組足場が形成されるが、そこでは作業員が枠組み足場を水平方向に移動できるように床付き布枠を隣接する建枠の横桟又は横木材の間に１枚又は２枚以上架け渡されており、これが作業床及び通路として用いられている。すなわち、建枠式足場の場合には隣接する横桟３の間に、そして、緊結式足場の場合には、隣接する腕木材２１の間に架け渡される。このとき、枠組足場の作業床および通路の幅、即ち、建枠の横桟の長さ又は腕木材の長さに応じて、床付き布枠を１枚又は２枚以上並べて架け渡すことによって、作業床又は通路が形成される。
【００１３】
なお、床付き布枠の幅は通常、２４０ｍｍ幅と５００ｍｍ幅の２種類が用いられ、それぞれ、小アンチ（小布板ともいう。）及び大アンチ（大布板ともいう。）と呼称される。
【００１４】
図４に、床付き布枠の２例を示す。(a)が小アンチ２５であり、(b)が大アンチ２６である。いずれも平面図である。(a)の小アンチ２５は２４０ｍｍ幅の主材３０の１枚のみで２４０ｍｍ幅の床付き布枠としたものであり、(b)の大アンチ２６は２４０ｍｍ幅の主材３０を２枚並べて合わせて５００ｍｍ幅の床付き布枠としたものであることが示されている。なお、これらの例では、床付き布枠上を歩行する際に作業員が滑るのを防止するために、床材部３１の上面にはエンボス加工７１が施されている。また、主材３０が幅方向に撓るのを防止するため、主材３０の中央部の下側に桟木７０が設けられている。
【００１５】
そして、建枠の横桟の長さと腕木材の長さは、インチサイズとメーターサイズがあるが、インチサイズでは通常、６１０ｍｍ、９１４ｍｍ及び１２１９ｍｍの３種類のものが揃えられており、そして、メーターサイズでは、通常、６００ｍｍ、９００ｍｍ及び１２００ｍｍの３種類のものが揃えられている。
【００１６】
したがって、通常、床付き布枠を枠組足場の作業床および通路として設置する場合、６００〜６１０ｍｍ幅を形成するには大アンチ（５００ｍｍ幅）を１枚用いて架け渡すことになり、９００〜９１４ｍｍ幅を形成するには大アンチ（５００ｍｍ幅）１枚と小アンチ（２４０ｍｍ幅）１枚を並べて架け渡すことになり、そして、１２００〜１２１９ｍｍ幅を形成するには大アンチ（５００ｍｍ幅）を２枚並べて架け渡すことになる。
【００１７】
図５に、床付き布枠１１を隣接する建枠の横桟３の間に架け渡して作業床および通路として設置したときの３例を示す。(a)が６００〜６１０ｍｍ幅の設置例、(b)が９００〜９１４ｍｍ幅の設置例、そして、(c)が１２００〜１２１９ｍｍ幅の設置例である。いずれも、隣接する建枠の横桟３の間に床付き布枠１１を架け渡して設置したときの横桟３の近傍の拡大図（平面図）である。(a)の６００〜６１０ｍｍ幅は大アンチ２６（５００ｍｍ幅）１枚から、(b)の９００〜９１４ｍｍ幅は大アンチ２６（５００ｍｍ幅）１枚と小アンチ２５（２４０ｍｍ幅）１枚から、そして、(c)の１２００〜１２１９ｍｍ幅は大アンチ２６（５００ｍｍ幅）２枚から、それぞれ、形成されていることが示されている。
【００１８】
さらに、枠組足場においては、建枠式足場と緊結式足場とを問わず、作業員が枠組み足場を組立若しくは解体する作業できるように又は枠組み足場内を上下方向に移動できるように、階段を枠組足場に組み込む必要がある。この場合、上段の足場における床付き布枠の１枚又は２枚を取り付けず、替わりに掴み金具が取り付けられた階段部材に置き換えることによって、枠組足場に階段を組み入れることができる。
【００１９】
図６に、９００〜９１４ｍｍ幅の枠組足場を例にとって、階段部材７５を組み込んだときの２例（平面図）を示す。階段部材７５は、(a)及び(b)に示すとおり、道路側と建物側のいずれにも組み込むことができる。(a)と(b)のいずれの場合においても、床付き布枠１１は、５００ｍｍ幅の大アンチ２６と２４０ｍｍ幅の小アンチ２５の各１枚が水平方向に平行に並べられて、隣接する建枠の横桟３の間に架け渡されていたところ、そのうちの小アンチ２５はそのまま通路となって残り、大アンチ２６（５００ｍｍ幅）があった場所に階段部材７５が組み込まれたことが分かる。
【００２０】
ここでは、階段部材７５を組み込んだときに、残された小アンチ２５が通路となるのであるが、階段の上部段の足場には階段開口部が形成される。
【００２１】
したがって、階段部材を組み込んだときには、残された床付き布枠が通路となるのであるが、このままでは、階段の非昇降口側端部と、残された床付き布枠の側面から、作業員が階段開口部に転落するおそれがある。
【００２２】
このため、作業員が階段開口部に転落しないように、階段の非昇降口側端部と、残された床付き布枠の側面には、階段開口手摺が設置される。
【００２３】
図７は、階段開口手摺の一例を示す正面図である。
【００２４】
この階段開口手摺３２は、両端に掴み金具５０を有する桁材３３と、左右２本の支柱材３４並びに上桟手摺材３５及び中桟手摺材３６から構成される枠形状の手摺枠と、上桟手摺材３５と中桟手摺材３６との間に水平方向に回転自在に取り付けられ、途中に縦柱固定金具３８を有する回転手摺材３９とからなり、左右２本の支柱材３４の下部はいずれも桁材に対して垂直に固定されている。ここで、左右２本の支柱材３４並びに上桟手摺材３５及び中桟手摺材３６から構成される枠形状の手摺枠が、床付き布枠１１の側面からの作業員の転落を防止し、そして、上桟手摺材３５と中桟手摺材３６との間に水平方向に回転自在に取り付けられた回転手摺材３９が、階段の非昇降口側端部からの作業員の転落を防止することになる。
【００２５】
図８及び図９に、階段開口手摺を鳥居枠からなる建枠式足場に取り付けたときの一例を示す。図８は平面図であり、図９は左側面図である。
【００２６】
階段開口手摺３２の桁材３３の両端に設けられた掴み金具５０を、隣接する鳥居枠の横桟３のそれぞれに引っかけることによって、隣接する鳥居枠の横桟３の間に階段開口手摺３２を床付き布枠１１と平行して設置する。そして、上桟手摺材３５と中桟手摺材３６との間に取り付けられた回転手摺材３９を水平方向に回転して引き出し、回転手摺材３９の途中に設けられた縦柱固定金具３８を鳥居枠の縦柱２に固定する。
【００２７】
ここで、階段開口手摺３２の回転手摺材３９は、左右２本の支柱材３４並びに上桟手摺材３５及び中桟手摺材３６から構成される枠形状の手摺枠に対して、直角に固定されるのではなく、斜めに固定されるのが、主流となっている。言い換えると、階段開口手摺３２の回転手摺材３９は、隣接する鳥居枠の横桟３の間に架けられる桁材３３に対して、直角に固定されるのではなく、斜めに固定されされるのが、主流となっている。これは、幅広い床付き布枠からなる通路を歩いてきた作業員が、階段の設置された部分に差しかかると、幅の狭い床付き布枠１１からなる通路へと進路を変える必要があるが、その通路幅をできるだけ広く確保したいがためである。この理由を、図面を用いて説明する。
【００２８】
図１０は、図９のＢ−Ｂ矢視断面平面図であり、階段開口手摺３２の回転手摺材３９を枠形状の手摺枠に対して、直角に固定した例である。鳥居枠の内側の上部にはクリケット４１と呼ばれる補剛材が設けられているところ、作業員が幅広い床付き布枠からなる通路の中央部を歩く限り、クリケット４１が歩行の邪魔になることはない。しかしながら、幅広い床付き布枠から幅の狭い床付き布枠１１へと進路を変える際に、階段開口手摺３２の回転手摺材３９が直角に設置されていると、クリケット４１と手摺枠の支柱材３４の間が狭いため、通路幅が極端に狭くなる。
【００２９】
これに対して、図１１は、図９のＢ−Ｂ矢視断面図であり、階段開口手摺３２の回転手摺材３９を枠形状の手摺枠に対して、斜めに固定した例である。鳥居枠の内側の上部にはクリケット４１と呼ばれる補剛材が設けられているが、幅広い床付き布枠から幅の狭い床付き布枠１１へと進路を変える際に、階段開口手摺３２の回転手摺材３９が斜めに設置されているので、クリケット４１と手摺枠の支柱材３４の間が広くなる。したがって、通路幅を大きくとることができる。
【００３０】
しかしながら、このように階段開口手摺の回転手摺材３９を枠形状の手摺枠に対して、斜めに固定すると、非昇降口側端部に三角形の隙間４３が形成されることになる。この三角形の隙間４３に作業員が足を取られて転倒するおそれがあり、また、この三角形の隙間４３から工具が下の段に落下するおそれがあるので、非昇降口側端部に形成される三角形の隙間４３の上に三角形の隙間塞ぎ材を設置することがなされている。
【００３１】
特許文献１には、枠組足場の非昇降口側端部に当たる建枠の横桟に平行に対峙する第一辺に２個の掴み金具を有し、そして、この第一辺と直角をなし、階段開口部の階段開口手摺の桁材に平行に対峙する第二辺に鉤形の掛け金を有する、三角形の隙間塞ぎ材が提案されている。
【００３２】
図１２は、特許文献１で提案された三角形の隙間塞ぎ材を非昇降口側端部に形成される三角形の隙間の部分に固定した一例であり、(a)が平面図を、そして、(b)が(a)のＡ−Ａ線矢視の正面図を示す。
【００３３】
この三角形の隙間塞ぎ材４４は、建枠の横桟に平行に対峙する第一辺４５に設けられた２個の掴み金具５０を、枠組足場の非昇降口側端部に当たる建枠の横桟３に取り付けた後、階段開口部の階段開口手摺の桁材３３に平行に対峙する第二辺４６に設けられた鉤形の掛け金４８を階段開口手摺の桁材３３に載置し、その後、鉤形の掛け金４８の抑止突片４９の上に、階段開口手摺の桁材３３と平行して設置される床付き布枠１１の側面を載置することで、非昇降口側端部に形成される三角形の隙間を塞ぐものである。
【００３４】
【特許文献１】特開２００２−３０８０５号公報
【発明の開示】
【発明が解決しようとする課題】
【００３５】
しかしながら、特許文献１において提案された三角形の隙間塞ぎ材４４を設置する際には、三角形の隙間塞ぎ材４４の第一辺４５に設けられた２個の掴み金具５０を、建枠の横桟３に取り付けた後、第二辺４６に設けられた鉤形の掛け金４８を階段開口手摺の桁材３３に載置し、さらに、鉤形の掛け金４８の抑止突片４９の上に、階段開口手摺の桁材３３と平行して設置される床付き布枠１１の側面を載置する必要がある。
【００３６】
すなわち、特許文献１において提案された三角形の隙間塞ぎ材４４を設置するには、作業足場を組み立てる際に組み入れておく必要があるし、逆に作業足場を解体する場合には平行して設置される床付き布枠１１を先に取り外す必要がある。
【００３７】
また、図６にみるごとく、階段部材７５は、道路側と建物側のいずれにも組み込むことができるので、非昇降口側端部に形成される三角形の隙間４３は、上面から見て斜辺が左に現れる場合と右に現れる場合の２種類ある。しかしながら、特許文献１において提案された三角形の隙間塞ぎ材４４は、階段開口部の階段開口手摺の桁材３３に平行に対峙する第二辺４６に設けられた鉤形の掛け金４８が特殊な形状をしているので、三角形の隙間塞ぎ材４４を裏返して用いることができない。したがって、特許文献１において提案された三角形の隙間塞ぎ材４４は、上から見て斜辺４７が左に現れる場合と右に現れる場合の２種類を用意しておく必要がある。
【００３８】
本発明は、建築現場等で使用される枠組足場の階段開口部の非昇降口側端部に形成される隙間を塞ぐための三角形の隙間塞ぎ材に関して、このような問題を解決するためになされたものであって、枠組足場の組立又は解体の時期にとらわれることなく、簡易に設置することができるとともに、裏返して使用することができる三角形の隙間塞ぎ材を提供することと、この隙間塞ぎ材を組み込んでなる枠組足場を提供することを、目的とする。
【課題を解決するための手段】
【００３９】
本発明者らは、上記目的を解決するために、種々の検討を重ねた結果、次の(a)〜(f)に示す知見を得た。
【００４０】
(a) 特許文献１において提案された三角形の隙間塞ぎ材は、枠組足場の非昇降口側端部に当たる建枠の横桟に平行に対峙する辺を第一辺とし、この第一辺と直角をなし、階段開口部の階段開口手摺の桁材に平行に対峙する辺を第二辺とする。そして、非昇降口側端部に形成される三角形の隙間を塞ぐために、三角形の隙間塞ぎ材を設置する手順としては、第一辺に取り付けた２個の掴み金具を建枠の横桟に取り付け、その後、第二辺に設けられた鉤形の掛け金を階段開口手摺の桁材に載置した後に、鉤形の掛け金の抑止突片の上に、階段開口手摺の桁材と平行する床付き布枠の側面を載置することによって、固定されることになる。
【００４１】
しかしながら、この手順では、階段開口手摺の桁材と平行する床付き布枠を、隣接する建枠の横桟又は腕木材の間を架け渡す前に、三角形の隙間塞ぎ材を設置することはできない。
【００４２】
(b) 階段開口手摺の桁材と平行する床付き布枠を、隣接する建枠の横桟又は腕木材の間を架け渡す前に、三角形の隙間塞ぎ材を設置することができるようにするためには、手順を逆転させ、先に階段開口手摺の桁材に取り付ければよい。言い換えれば、枠組足場の階段開口部の階段開口手摺の桁材に平行に対峙する辺を第一辺とし、この第一辺と直角をなし、建枠の横桟又は腕木材の側に位置する辺を第二辺とすればよい。そして、第一辺又はその延長部には、三角形の隙間塞ぎ材を階段開口部の階段開口手摺の桁材に取り付けるための取付金具として、クランプ等を設置すればよい。このとき、当該取付金具を水平軸として三角形の隙間塞ぎ材を垂直方向に回転可能になるように取り付ければ、三角形の隙間塞ぎ材の設置角度を調節することができる。
【００４３】
このように、三角形の隙間塞ぎ材を階段開口部の階段開口手摺の桁材に取り付けることによって、階段開口手摺の桁材と平行する床付き布枠を架け渡した後であっても、三角形の隙間塞ぎ材を、階段開口部の非昇降口側端部に形成される隙間を塞ぐために取り付けることができる。また、三角形の隙間塞ぎ材を階段開口部の階段開口手摺の桁材に取り付けたまま、枠組足場を組み立て又は解体することも可能となる。
【００４４】
したがって、このような三角形の隙間塞ぎ材であれば、いつでも設置したり外したりすることができるから、設置する順序や取り外す順序に頭を悩ます必要がなくなる、
(c) また、特許文献１において提案された三角形の隙間塞ぎ材は、第一辺を建枠の横桟に取り付け、そして、第二辺を階段開口手摺の桁材に載置した後に床付き布枠の側面を載置するという手間をかけてはじめて階段開口部の非昇降口側端部に形成される隙間を塞ぐことができるものである。しかしながら、階段開口部の階段開口手摺の桁材に平行に対峙する辺を第一辺とし、この第一辺と直角をなし、建枠の横桟又は腕木材の側に位置する辺を第二辺とする三角形の隙間塞ぎ材であれば、第二辺を枠組足場を形成する建枠の横桟又は腕木材の上に載置するだけでよいので、第二辺に掴み部材を設ける必要がない。
【００４５】
さらに、このように階段開口部の階段開口手摺の桁材に平行に対峙する辺を第一辺とする三角形の隙間塞ぎ材の場合には、裏返しても用いることができる。非昇降口側端部に形成される三角形の隙間は、上から見て斜辺が左に現れる場合と右に現れる場合の２種類あるが、裏返せばそのどちらにも用いることができるので、三角形の隙間塞ぎ材は１種類のみを用意すれば足りる。
【００４６】
(d) 三角形の隙間塞ぎ材を、階段開口部の非昇降口側端部に形成される隙間の上に確実に固定するためには、階段開口部の階段開口手摺の桁材に平行に対峙する第一辺又はその延長部の取付金具に加えて、第一辺にさらに隙間塞ぎ材を階段開口手摺の桁材に対して固定することができる固定補助金具を設ければよい。固定補助金具としては、断面コの字形であって、当該固定補助金具を水平軸として垂直方向に回転可能になるものとするのが好ましい。あるいは、隙間塞ぎ材の材部に１個又は２個以上の番線用孔を設けて、ここに番線を通し、その番線を建枠の横桟若しくは腕木材又は階段開口手摺の桁材にくくりつけることによっても、三角形の隙間塞ぎ材を、階段開口部の非昇降口側端部に形成される隙間の上に確実に固定することができる。
【００４７】
(e) そして、三角形の隙間塞ぎ材の斜辺には、三角形の隙間塞ぎ材の上を作業員が歩行する際に、足を滑らせて転倒することがないように、材部の表面にエンボス加工又はスリップ加工を施してもよい。また、足を滑らせて転倒することがないように、幅木を設けるのが好ましい。幅木は、斜辺だけでなく、第一辺にも設けるのが好ましい。特に、この幅木を三角形の隙間塞ぎ材の斜辺および／又は第一辺の両面に設けると、裏返して用いる場合でも幅木が設けられているから、裏返して用いる場合でも三角形の隙間塞ぎ材の上を作業員が歩行する際に、足を滑らせて転倒することがなくなる。言い換えれば、隙間塞ぎ材の立体形状が水平面に対して上下対称であれば、表と裏の区別なしに三角形の隙間塞ぎ材を用いることができるので、好ましい。
【００４８】
(f) なお、三角形の隙間塞ぎ材を運搬しやすくするために、隙間塞ぎ材の材部に１個又は２個以上の取手用孔を設けるのが好ましい。
【００４９】
本発明は、このような知見に基づいて、完成したものであり、次の(1)〜(6)の隙間塞ぎ材及び(7)の枠組足場を要旨とする。以下、(1)〜(7)を総称して、本発明ということもある。
【００５０】
(1) 枠組足場の階段開口部の階段開口手摺の桁材に平行に対峙する第一辺と、この第一辺とは直角をなす第二辺を有し、非昇降口側端部に形成される隙間を塞ぐことができる略三角形状の隙間塞ぎ材であって、隙間塞ぎ材を上記桁材に取り付けるための取付金具を第一辺又はその延長部に有しており、当該取付金具を水平軸として当該隙間塞ぎ材を垂直方向に回転可能であり、かつ、上記第二辺は枠組足場を形成する建枠の横桟又は腕木材の上に載置することができることを特徴とする隙間塞ぎ材。
【００５２】
(2) 階段開口手摺の桁材に平行に対峙する第一辺には、さらに隙間塞ぎ材を階段開口手摺の桁材に対して固定することができる固定補助金具を設けたことを特徴とする、上記(1)の隙間塞ぎ材。
【００５３】
(3) 略三角形状の隙間塞ぎ材の斜辺および／又は第一辺に幅木を設けたことを特徴とする、上記(1)または(2)の隙間塞ぎ材。
【００５４】
(4) 隙間塞ぎ材の立体形状が水平面に対して上下対称であることを特徴とする、上記(1)〜(3)のいずれかの隙間塞ぎ材。
【００５５】
(5) 隙間塞ぎ材の材部に１個又は２個以上の番線用孔を設けたことを特徴とする、上記(1)〜(4)のいずれかの隙間塞ぎ材。
【００５６】
(6) 隙間塞ぎ材の材部に１個又は２個以上の取手用孔を設けたことを特徴とする、上記(1)〜(5)のいずれかの隙間塞ぎ材。
【００５７】
(7) 上記(1)〜(6)のいずれかに記載の隙間塞ぎ材が組み込まれていることを特徴とする枠組足場。
【発明の効果】
【００５８】
本発明に係る隙間塞ぎ材によれば、枠組足場の組立又は解体の時期にとらわれることなく、簡易に設置することができるとともに、裏返して使用することができるので、建築現場等で使用される枠組足場の階段開口部の非昇降口側端部に形成される三角形の隙間を容易に塞ぐことができる。また、このような三角形の隙間を容易に塞いでなる枠組足場を簡易に提供することができる。
【発明を実施するための最良の形態】
【００５９】
本発明に係る隙間塞ぎ材及びこの隙間塞ぎ材を組み込んでなる枠組足場を、以下に、図面を用いて説明する。なお、本発明は次の実施例に限定されるものではない。
【実施例１】
【００６０】
図１３は、本発明に係る隙間塞ぎ材の一例を示したものであり、(a)は平面図、(b)は正面図、そして、(c)は(a)のＡ−Ａ矢視方向の断面図である。
【００６１】
この隙間塞ぎ材４４は、第一辺４５と第二辺４６とが直角をなす略三角形状の材であって、第一辺４５は枠組足場の階段開口部の階段開口手摺の桁材に平行に対峙し、第二辺は枠組足場を形成する建枠の横桟又は腕木材の上に載置することができる。そして、第一辺の延長上には隙間塞ぎ材４４を取り付けることができる取付金具５１としてクランプが用いられているが、クランプはボルト５３とナット５４を有しているので、このクランプを水平軸として隙間塞ぎ材４４を垂直方向に回転可能である。
【００６２】
ここでは、第一辺４５にはさらに断面コの字形の固定補助金具５２が設けられており、隙間塞ぎ材４４を階段開口手摺の桁材３３に対して固定することができる。固定補助金具５２はボルト５３とナット５４を有しているので、回転可能である。隙間塞ぎ材４４の材部に２個の番線用孔５５を設けてある。また、三角形の隙間塞ぎ材４４の斜辺４７および／又は第一辺４５には、幅木６０が設けられている。さらに、隙間塞ぎ材４４の材部に取手用孔５６が設けてある。固定補助金具５２、番線用孔５５、幅木６０および取手用孔５６は必ずしも必要とするものではないが、それぞれ、次の理由で設置するのが好ましい。
【００６３】
すなわち、固定補助金具５２は、隙間塞ぎ材４４を取付金具５１のボルト５３の水平軸周りに垂直方向に回転させることによって、階段開口手摺の桁材３３に嵌め合わせて、隙間塞ぎ材４４を階段開口手摺の桁材３３に対して固定することができる。番線用孔５５があると、ここに番線（図示せず）を通し、その番線を建枠の横桟３又は階段開口手摺の桁材３３にくくりつけることができるから、隙間塞ぎ材４４が突風に煽られても浮き上がるおそれはなくなる。幅木６０を設けると、三角形の隙間塞ぎ材４４の上を作業員が歩行する際に、足を滑らせて転倒するおそれが小さくなる。取手用孔５６が設けてあると、三角形の隙間塞ぎ材４４の持ち運びが容易になる。
【００６４】
図１４に、本発明に係る隙間塞ぎ材の設置例を示す。(a)が平面図、(b)がＡ−Ａ矢視左側面図、そして、(c)がＢ−Ｂ矢視正面図である。
【００６５】
この三角形の隙間塞ぎ材４４は、枠組足場の階段開口部の階段開口手摺の桁材３３に平行に対峙する第一辺４５の延長上に、取付金具５１としてのクランプが設けられていて、当該取付金具５１を水平軸として当該隙間塞ぎ材４４を垂直方向に回転可能に取り付けることができ、また、第一辺４５には断面コの字形の固定補助金具５２が設けられていて階段開口手摺の桁材３３に嵌め合わせることができ、さらに、第二辺４６は枠組足場を形成する建枠の横桟又は腕木材の上に載置することができるから、非昇降口側端部に形成される三角形の隙間を十分に塞ぐことができる。すなわち、この三角形の隙間塞ぎ材４４は、第一辺およびその延長上には、隙間塞ぎ材４４を垂直方向に回転可能に取り付けることができる取付金具５１と、断面コの字形であって垂直方向に回転可能の補助固定金具５２を有しており、さらに第二辺４６は枠組足場を形成する建枠の横桟又は腕木材の上に載置されているだけであるので、この三角形の隙間塞ぎ材４４を設置する際に設置角度を自由に調節することができ、図１４(b)にみるごとく、階段開口手摺の桁材３３に対して少し傾斜した状態でも十分に固定することができる。
【００６６】
なお、この三角形の隙間塞ぎ材４４は、その立体形状が水平面に対して上下対称であるから、表と裏の区別なしに三角形の隙間塞ぎ材を用いることができる。すなわち、裏返しても使用することができる。
【００６７】
また、三角形の隙間塞ぎ材４４の斜辺４７および／又は第一辺４５には、三角形の隙間塞ぎ材４４の上を作業員が歩行する際に、足を滑らせて転倒することがないように、幅木６０が設けられている。図１３(c)にみるごとく、この幅木６０は隙間塞ぎ材４４の斜辺４７および／又は第一辺４５の両面に設けられているので、三角形の隙間塞ぎ材４４を裏返して用いる場合でも、作業員が歩行する際に、足を滑らせて転倒するおそれは小さくなる。
【００６８】
そして、隙間塞ぎ材４４の材部に２個の番線用孔５５を設けてある。枠組足場においては、突風が吹くことがあり、その際には、固定補助金具５２で隙間塞ぎ材４４を階段開口手摺の桁材３３に対して固定していても、隙間塞ぎ材４４が突風に煽られて浮き上がるおそれがあるが、番線用孔５５に番線（図示せず）を通し、その番線を建枠の横桟３又は階段開口手摺の桁材３３にくくりつけると浮き上がるおそれはなくなる。
【００６９】
さらに、隙間塞ぎ材４４の材部に取手用孔５６が設けてあるので、三角形の隙間塞ぎ材４４の持ち運びが容易になる。
【００７０】
図１５は、本発明に係る隙間塞ぎ材の設置例の他の状態を示す左側面図である。
【００７１】
この三角形の隙間塞ぎ材４４は、第一辺４５の延長上に、隙間塞ぎ材４４を垂直方向に回転可能に取り付けることができる取付金具５１としてのクランプが設けられている。したがって、三角形の隙間塞ぎ材４４を使用しないときは、枠組足場を形成する建枠の横桟から遊離した状態のままにすることができるし、階段開口手摺の桁材に取り付けたまま運搬することもできる。
【実施例２】
【００７２】
図１６は、本発明に係る隙間塞ぎ材の他の例を示したものであり、(a)は平面図、(b)は正面図、そして、(c)は(a)のＡ−Ａ矢視方向の断面図である。
【００７３】
この隙間塞ぎ材４４は、第一辺４５と第二辺４６とが直角をなす略三角形状の材であって、第一辺４５は枠組足場の階段開口部の階段開口手摺の桁材に平行に対峙し、第二辺は枠組足場を形成する建枠の横桟又は腕木材の上に載置することができる。そして、第一辺には隙間塞ぎ材４４を垂直方向に回転可能に取り付けることができる取付金具５１としてクランプが用いられている。クランプはボルト５３とナット５４を有しているので、回転可能である。
【００７４】
ここでは、第一辺にはさらに断面コの字形の固定補助金具５２が設けられており、隙間塞ぎ材４４を階段開口手摺の桁材３３に対して固定することができる。固定補助金具５２はボルト５３とナット５４を有しているので、回転可能である。隙間塞ぎ材４４の材部に２個の番線用孔５５を設けてある。また、三角形の隙間塞ぎ材４４の斜辺４７および第一辺４５には、幅木６０が設けられている。さらに、隙間塞ぎ材４４の材部に取手用孔５６が設けてある。固定補助金具５２、番線用孔５５、幅木６０および取手用孔５６は必ずしも必要とするものではないが、それぞれ、次の理由で設置するのが好ましいのは、実施例１と同様である。
【００７５】
また、図１６に示す隙間塞ぎ材も実施例１と同様に設置することができるし、三角形の隙間塞ぎ材４４を実施例１と同様に階段開口手摺の桁材に対して垂直に固定した状態にすることができる。
【産業上の利用可能性】
【００７６】
以上のとおり、本発明に係る隙間塞ぎ材によれば、枠組足場の組立又は解体の時期にとらわれることなく、簡易に設置することができるとともに、裏返して使用することができるので、建築現場等で使用される枠組足場の階段開口部の非昇降口側端部に形成される三角形の隙間を容易に塞ぐことができる。また、このような三角形の隙間を容易に塞いでなる枠組足場を簡易に提供することができる。
【図面の簡単な説明】
【００７７】
【図１】Ｈ枠を用いて建枠式の枠組足場を形成する一例である。
【図２】鳥居枠を用いて建枠式の枠組足場を形成する１例である。
【図３】緊結式足場の構造の一例を示す。
【図４】床付き布枠の２例である。
【図５】床付き布枠を作業床および通路として設置したときの３例を示す。
【図６】階段部材を組み込んだときの２例を示す。
【図７】階段開口手摺の一例を示す。
【図８】階段開口手摺を鳥居枠からなる建枠式足場に取り付けたときの一例（平面図）である。
【図９】階段開口手摺を鳥居枠からなる建枠式足場に取り付けたときの一例（左側面図）である。
【図１０】図９のＢ−Ｂ矢視断面平面図であり、回転手摺材を枠形状の手摺枠に対して直角に固定した例である。
【図１１】図９のＢ−Ｂ矢視断面図であり、回転手摺材を枠形状の手摺枠に対して斜めに固定した例である。
【図１２】特許文献１で提案された三角形の隙間塞ぎ材を非昇降口側端部に形成される三角形の隙間の部分に固定した一例である。
【図１３】本発明に係る隙間塞ぎ材の一例を示したものであり、(a)は平面図、(b)は正面図、そして、(c)は(a)のＡ−Ａ矢視方向の断面図である。
【図１４】本発明に係る隙間塞ぎ材の設置例を示す。(a)が平面図、(b)がＡ−Ａ矢視左側面図、そして、(c)がＢ−Ｂ矢視正面図である。
【図１５】本発明に係る隙間塞ぎ材の設置例の他の状態を示す左側面図である。
【図１６】本発明に係る隙間塞ぎ材の他の例を示したものであり、(a)は平面図、(b)は正面図、そして、(c)は(a)のＡ−Ａ矢視断面図である。
【符号の説明】
【００７８】
１  Ｈ枠
２  縦柱
３  横桟
４  鳥居枠
６ａ、６ｂ  ロック金具
７ａ、７ｂ  ロック金具
８ａ、８ｂ  ロック金具
１０  手摺枠
１１  床付き布枠
１３  筋違
１４  支柱
１５  作業用手摺
１６  支柱部材
１９  ブレース材
２０  コマ
２１  腕木材
２２  建物
２５  小アンチ
２６  大アンチ
３０  主材
３１  床材部
３２  階段開口手摺
３３  桁材
３４  支柱材
３５  上桟手摺材
３６  中桟手摺材
３８  縦柱固定金具
３９  回転手摺材
４０  梁材
４１  クリケット
４３  三角形の隙間
４４  隙間塞ぎ材
４５  第一辺
４６  第二辺
４７  斜辺
４８  鉤型の掛け金
４９  抑止突片
５０  掴み金具
５１  取付金具
５２  固定補助金具
５３  ボルト
５４  ナット
５５  番線用孔
５６  取手用孔
６０  幅木
７０  桟木
７１  エンボス加工
７５  階段部材
【図１】
0005597348.tif 000002
【図２】
0005597348.tif 000003
【図３】
0005597348.tif 000004
【図４】
0005597348.tif 000005
【図５】
0005597348.tif 000006
【図６】
0005597348.tif 000007
【図７】
0005597348.tif 000008
【図８】
0005597348.tif 000009
【図９】
0005597348.tif 000010
【図１０】
0005597348.tif 000011
【図１１】
0005597348.tif 000012
【図１２】
0005597348.tif 000013
【図１３】
0005597348.tif 000014
【図１４】
0005597348.tif 000015
【図１５】
0005597348.tif 000016
【図１６】
0005597348.tif 000017